(57)【特許請求の範囲】
【請求項１】
リダイヤル機能を備えたファクシミリ装置において、
リダイヤル情報を複数格納するメモリと、
前記メモリから呼び出されたリダイヤル情報と操作情報とを表示する表示部と、
リダイヤル情報の呼び出し操作に応じて、前記メモリのリダイヤル情報を過去に溯って順番に呼び出す制御部とを備え、
該制御部は前記メモリ内のリダイヤル情報が全て呼び出されたことを判断し、前記表示部にダイヤル入力を促す表示を行うと共にダイヤル入力待ち状態に移行することを特徴とするファクシミリ装置。
【請求項２】
前記制御部は、前記リダイヤル情報の呼び出し操作に応じて呼び出されたリダイヤル情報を、最終リダイヤル情報として前記メモリに再格納することを特徴とする請求項１記載のファクシミリ装置。
【発明の詳細な説明】
【０００１】
【発明の属する技術分野】
本発明は、リダイヤル機能を備えたファクシミリ装置に関する。
【０００２】
【従来の技術】
一般に、ファクシミリ装置は読み書き可能なエリアを有しており、このエリアに、前回ダイヤル・送信した相手の電話番号等を格納していた。そして、前回ダイヤル・送信した相手にリダイヤルする際、リダイヤル機能を用いて、このエリアから電話番号等を呼び出し、送信を行っていた。このエリアは、異なる相手にダイヤル・送信する毎に更新されていた。
【０００３】
【発明が解決しようとする課題】
従来のファクシミリ装置にあっては、前回のダイヤル情報を格納するエリアの領域は、１回のダイヤルの情報量を格納するだけの領域しか設けられていなかった。即ち、前回の送信者の送信後、次回の送信者が送信を行っていると、エリアは次回のダイヤル情報に更新されてしまう。従ってこの場合、前回の送信者が何らかの理由により再送信を行う必要が生じた場合、リダイヤルは行えないので、再度ダイヤルナンバーを入力するという動作が必要であり、送信者にとっては再送信上の操作が多大な負担となることがあった。また、リダイヤル機能自体の効果を低下させていた。
【０００４】
【課題を解決するための手段】
前記課題を解決するために、本発明が講じた解決手段は、リダイヤル情報を複数格納するメモリと、メモリから呼び出されたリダイヤル情報と操作情報とを表示する表示部と、リダイヤル情報の呼び出し操作に応じて、メモリのリダイヤル情報を過去に溯って順番に呼び出し、メモリ内のリダイヤル情報が全て呼び出されことを判断して、表示部にダイヤル入力を促す表示を行うと共にダイヤル入力待ち状態に移行する制御部とをファクシミリ装置に備えたものである。
【０００５】
上述の解決手段によれば、ファクシミリ装置はダイヤル情報を入力すると、これをリダイヤル情報としてメモリに格納する。リダイヤル情報の呼び出し操作があると、制御部はリダイヤル情報をメモリから過去に溯って順番に呼び出し、メモリ内のリダイヤル情報が全て呼び出されたことを判断すると、表示部にダイヤル入力を促す表示を行うと共にダイヤル入力待ち状態に移行する。
【０００６】
【発明の実施の形態】
以下に本発明の実施の形態を図面を参照しながら詳細に説明する。なお、各図面に共通する要素には同一の符号を付す。図１は本発明に係る実施の形態におけるファクシミリ装置のブロック図である。
【０００７】
ファクシミリ装置１はリダイヤル機能を備えており、オペレーション入力部２及びこれが接続された主中央演算処理装置３（以下、主制御部３と記す）、主制御部３に接続されたリダイヤル情報格納部４を備えている。主制御部３はファクシミリ装置１の全体動作を制御する。
【０００８】
オペレーション入力部２には、表示装置５が接続されている。主制御部３にはさらに、送信用の原稿を読み取る読み取り部６及び受信したデータを印刷する印字部７、送信用データを送信する送信部８、書き込みアドレスカウンタ９、読み込みアドレスカウンタ１０が接続されている。なお、書き込み・読み込みアドレスカウンタ９、１０は、リダイヤル情報格納部４にも接続されている。
【０００９】
オペレーション入力部２は、複数のスイッチ１１〜２２及びこれらスイッチ１１〜２２が接続される副中央演算処理部２５（以下、副制御部２５と記す）を備えている。スイッチ１１〜２０までは０〜９までのダイヤルに割り当てらており、本実施の形態ではこれらスイッチ１１〜２０をまとめてダイヤルスイッチ２３と称す。またスイッチ２１はリダイヤル機能に割り当てられており、以下リダイヤルスイッチ２１と称す。スイッチ２２は送信開始機能に割り当てられており、以下送信開始スイッチ２２と称す。
【００１０】
前述の表示装置５は、ダイヤルスイッチ２３から入力されるダイヤル情報及びリダイヤル情報を表示する。
【００１１】
リダイヤル情報格納部４（以下、格納部４と記す）は、複数個の格納領域１〜ｎ（ｎ＞５）を有しており、オペレーション入力部２から主制御部３を介して送信先のダイヤルが入力されると、リダイヤル情報として格納領域１から順に格納する。
【００１２】
書き込みアドレスカウンタ９（以下、書き込みカウンタ９と記す）のアドレス値は、格納部４に格納されているリダイヤル情報の数よりも一つ多い値を示している。即ち、アドレス値は、次にリダイヤル情報が書き込まれる格納領域番号を示しており、従って、初期値は１となる。
【００１３】
読み込みアドレスカウンタ１０（以下、読み込みカウンタ１０と記す）のアドレス値は、格納部４に格納されているリダイヤル情報の数を示している。即ち、リダイヤル情報は格納領域番号１から順に格納されるので、このアドレス値は最終リダイヤル情報の格納領域番号を示す。読み込みカウンタ１０初期値はｎとなっている。
【００１４】
読み込み・書き込みカウンタ９、１０は、夫々アドレス値がｎに達しインクリメントされると、アドレス値は自動的に１になる。また読み込みカウンタ１０はアドレス値が１からデクリメントされると、アドレス値は自動的にｎになる。
【００１５】
次に、本実施の形態のファクシミリ装置１の送信動作を図２を加えて説明する。図２は実施の形態のファクシミリ装置のフローチャートである。
【００１６】
副制御部２５はスイッチ１１〜２１の押下を監視している（ステップＳ１）。オペレータによりダイヤルスイッチ２３が押下されると、即ち、送信先のダイヤルが入力されると、副制御部２５は送信開始スイッチ２２の押下を待つ（ステップＳ２〜ステップＳ３）。オペレータにより送信開始スイッチ２２が押下されると、副制御部２５は送信開始が行われると判断し、入力された送信先のダイヤル情報（送信ダイヤル情報）を主制御部３に出力すると共に表示部５にも出力する（ステップＳ４）。
【００１７】
表示部５は送信ダイヤル情報を表示し、主制御部３は送信ダイヤル情報をリダイヤル情報として格納部４に出力する。格納部４は入力したリダイヤル情報を、書き込みカウンタ９のアドレス値の示すアドレスの格納領域に格納する（ステップＳ５）。そして、主制御部３は書き込み・読み込みカウンタ９、１０のアドレス値を夫々インクリメントする（ステップＳ６）。
【００１８】
また、読み取り部６では送信用の原稿（図示せず）を読み取ると共に、読み取った送信用データを送信部８へ送り、送信部８は送信用データを回線を通じて送信する（ステップＳ７）。
【００１９】
同様にして、他の送信ダイヤル情報がオペレータにより逐次入力・送信が開始されていると、その都度、上述と同様表示装置５に表示すると共に、ステップＳ５〜ステップＳ７の動作を行う。
【００２０】
ステップＳ１において、押下されたスイッチがリダイヤルスイッチ２１であると、ステップＳ２及びステップＳ９に進み、副制御部２５はリダイヤルスイッチ２１が押下したと判断し主制御部３に判断結果を送出する。主制御部３は格納部４から、読み込みアドレスカウンタ１０のアドレス値が示すアドレスの格納領域のリダイヤル情報、即ち、最後に格納した最終リダイヤル情報を呼び出し、副制御部２５へ送出する（ステップＳ９）。副制御部２５は入力した最終リダイヤル情報を表示装置５へ送出し、表示装置５はこの最終リダイヤル情報を表示する（ステップＳ１０）。
【００２１】
表示された最終リダイヤル情報が、オペレータの意図するリダイヤル情報であると、オペレータは送信開始スイッチ２２を押下する。副制御部２５はスイッチの押下を監視しており（ステップＳ１１）、送信開始用スイッチ２２が押下されたと判断すると、ステップＳ１２からステップＳ１３に進み、ステップＳ７と同様の送信処理を行う。
【００２２】
主制御部３は、読み込みカウンタ１０のアドレス値が、書き込みカウンタ９のアドレス値から１を引いた値と同じであるか否かを判断しており（ステップＳ１４）、同じでないと判断すると、呼び出したダイヤル情報を、書き込みカウンタ９のアドレス値が示す格納部４のアドレスの格納領域に再び書き込む（ステップＳ１５）。そして、書き込みアドレス９のアドレス値をインクリメントし、読み込みカウンタ１０のアドレス値を書き込みアドレス９のアドレス値よりも１小さい値にセットする（ステップＳ１６）。
【００２３】
またステップＳ１４において、同じであると判断すると、ステップＳ１７に進む。
【００２４】
送信後にリダイヤルスイッチ２１が押下されていれば、ステップＳ１７からステップＳ９に戻り、或いはダイヤルスイッチ２３が押下されていれば、ステップＳ８及びステップＳ５に進む。
【００２５】
ステップＳ１０において、表示装置５に表示された最終リダイヤル情報が、オペレータの意図するリダイヤル情報でない場合、オペレータは再びリダイヤルスイッチ２１を押下する。従って、ステップＳ１２からステップＳ１８に進み、主制御部３は書き込み・読み込みカウンタ９、１０のアドレス値を比較する。
【００２６】
読み込みカウンタ１０の値が書き込みカウンタ９の値と同じになっていなければ、読み込みアドレスカウンタ９をデクリメントし（ステップＳ２１）、ステップＳ９に進む。主制御部３は格納部４から、最終リダイヤル情報より一つ前の過去のリダイヤル情報を読み出し、表示装置５はリダイヤル情報を再び表示する（ステップＳ９、１０）。副制御部２５は送信開始スイッチ２２の押下を監視している。このリダイヤル情報がオペレータの意図するリダイヤル情報であり、オペレータにより送信開始スイッチ２２が押下されると、上述したステップＳ１３〜ステップＳ１６の動作が行われ、オペレータの意図するリダイヤル情報でなくリダイヤルスイッチ２１が押下されると再びステップＳ１８に進む。
【００２７】
リダイヤルスイッチ２１の押下により次々と表示させたリダイヤル情報の中にオペレータの意図するリダイヤル情報がなく、ステップＳ１８において、主制御部３は読み込みカウンタ１０の値が書き込みカウンタ９の値と同じになったと判断すると、読み込みカウンタ１０のアドレス値を書き込みカウンタ９のアドレス値よりも１小さい値にセットする（ステップＳ１９）。そして、表示装置５に例えば「ダイヤルを入力して下さい」等の表示を行い、オペレータに対しダイヤル入力を促す（ステップＳ２０）。
【００２８】
本実施の形態において、格納部４に設ける格納領域の数は、格納部４の容量に応じて、或いは使用状況において変更可能であることはいうまでもない。
【００２９】
本実施の形態では、格納部４は複数のリダイヤル情報を格納することができ、且つリダイヤルスイッチ２１の押下により最終リダイヤル情報はもとより最終リダイヤル情報よりも過去のリダイヤル情報も呼び出すことができる。
【００３０】
【発明の効果】
以上詳細に説明したように、本発明は、リダイヤル情報を複数格納するメモリを備え、リダイヤル情報の呼び出し操作に応じてリダイヤル情報をメモリから過去に溯って順番に呼び出し、メモリ内のリダイヤル情報が全て呼び出されたことを判断して表示部にダイヤル入力を促す表示を行うと共にダイヤル入力待ち状態に移行することで、前回の送信者の送信後、次回の送信者が送信を行っても前回のリダイヤル情報は更新されず、この結果、送信者にとって再送信上の操作に負担がかからなくなった。
【図面の簡単な説明】
【図１】本発明に係る実施の形態のファクシミリ装置のブロック図である。
【図２】実施の形態のファクシミリ装置のフローチャートである。
【符号の説明】
１  ファクシミリ装置
２  オペレーション入力部
３  主中央演算処理装置
４  リダイヤル情報格納部
５  表示装置
２５  副中央演算処理部
【図１】
0003711306.tif 000002
【図２】
0003711306.tif 000003